(57)【要約】      （修正有）【課題】ディフューザ性能を向上させるためのフローアライメント装置を提供する。【解決手段】軸流タービン用のタービンシュラウド５０において、シュラウド５０は、それぞれがタービンケーシング４８の内面に装着されるように構成される弓形形状のシュラウドセグメントの環状配列であって、セグメントがタービン内のタービンバケット２６の最終列のチップ４２と位置合わせされる弓形シール表面５６を有する、シュラウドセグメントの環状配列と、シュラウドセグメントのそれぞれの内面上で最終列を通じたガス流の方向における下流側に位置されるベーン６４であって、ベーン６４が内面からタービンの軸へ向けて内側に延在する、ベーン６４とを含む。【選択図】図３
2017141815.tif 000002
【特許請求の範囲】
【請求項１】
軸流タービン（１６）用のタービンシュラウド（５０）において、
それぞれがタービンケーシング（４８）の内面に装着されるように構成される弓形形状のシュラウドセグメント（７２）の環状配列であって、前記セグメント（７２）が前記タービン（１６）内のタービンバケット（２６）の最終列のチップレール（４２）と位置合わせされる弓形シール表面（５６）を有する、シュラウドセグメント（７２）の環状配列と、
前記シュラウドセグメント（７２）のそれぞれの内面上で前記最終列を通じたガス流の方向における前記チップレール（４２）の下流側に位置されるベーン（６４）であって、前記ベーン（６４）が前記内面から前記タービン（１６）の軸（３０）へ向けて内側に延在する、ベーン（６４）と、
を備えるタービンシュラウド（５０）。
【請求項２】
前記各ベーン（６４）は、前記軸（３０）と平行に前記ベーン（６４）を貫いて延びるラインに対してある角度を成して配置され、前記角度が０〜４０度の範囲にある請求項１記載のタービンシュラウド（５０）。
【請求項３】
前記各ベーン（６４）の角度は、前記ベーン（６４）を通じたガス流の向きを前記タービンバケット（２６）のそれぞれの空気力学的表面（３２）の後縁から抜け出るガスの流れ方向へ向けて変えるように設定される請求項２記載のタービンシュラウド（５０）。
【請求項４】
前記ベーン（６４）が前記タービン（１６）の前記軸（３０）の周りに対称的に配置される請求項１記載のタービンシュラウド（５０）。
【請求項５】
前記ベーン（６４）は、数が前記最終列内の前記タービンブレード（２６）の数に等しい少なくとも１つであって、一定の間隔で配置され、前記間隔が０．５度〜５度の範囲内の角度である請求項１記載のタービンシュラウド（５０）。
【請求項６】
前記ベーン（６４）はそれぞれ、前記最終列内のバケット（２６）の弦長の１／１０〜２／３の軸方向長さを有する請求項１記載のタービンシュラウド（５０）。
【請求項７】
前記ベーン（６４）は、前記シュラウドセグメント（７２）上のシール表面（５６）から前記最終列内のバケット（２６）の上端との間の距離の１／４〜２倍の範囲内の距離を隔てて径方向内側に延在する請求項１記載のタービンシュラウド（５０）。
【請求項８】
前記ベーン（６４）がそれぞれ軸方向で直線状である請求項１記載のタービンシュラウド（５０）。
【請求項９】
前記ベーン（６４）は、軸方向に延在する部分的なまたは完全な湾曲部分を含む請求項１記載のタービンシュラウド（５０）。
【請求項１０】
軸流タービン（１６）において、
前記タービン（１６）の最終段にあるタービンバケット（２６）の列と、
前記タービンバケット（２６）の列の周囲に環を形成する環状シュラウド（５０）であって、前記シュラウド（５０）が、前記タービンバケット（２６）上のチップ（４２）の径方向外側に環状シール表面（５６）を含むとともに、前記環状シール表面（５６）および前記タービンバケット（２６）の列の下流側にベーン（６４）を含み、前記ベーン（６４）が前記シール表面（５６）の径方向内側に延在する、環状シュラウド（５０）と、
を備える軸流タービン（１６）。
【請求項１１】
前記ベーン（６４）が排気ディフューザ（２０）への入口の上流側にある請求項１０記載の軸流タービン（１６）。
【請求項１２】
前記各ベーン（６４）は、軸（３０）と平行に前記ベーン（６４）を貫いて延びるラインに対してある角度を成して配置され、前記角度が０度〜４０度の範囲にある請求項１０記載の軸流タービン（１６）。
【請求項１３】
前記各ベーン（６４）の角度は、前記ベーン（６４）を通じたガス流の向きを前記タービンバケット（２６）のそれぞれの空気力学的表面（３２）の後縁から抜け出るガスの流れ方向へ向けて変えるように設定される請求項１２記載の軸流タービン（１６）。
【請求項１４】
前記ベーン（６４）は、前記バケット（２６）の列が回転する軸（３０）の周りに対称的に配置される請求項１０記載の軸流タービン（１６）。
【請求項１５】
前記ベーン（６４）はそれぞれ、前記最終列内のバケット（２６）の弦長の１／１０〜２／３の軸方向長さを有する請求項１０記載の軸流タービン（１６）。
【請求項１６】
前記ベーン（６４）は、前記環状シール面（５６）から前記最終列内のバケット（２６）の上端との間の距離の１／４〜２倍の範囲内の距離を隔てて径方向内側に延在する請求項１０記載の軸流タービン（１６）。
【請求項１７】
前記ベーン（６４）が前記環状シュラウド（５０）の周りに対称的に配置される請求項１０記載の軸流タービン（１６）。
【請求項１８】
前記ベーン（６４）は、軸方向に延在する部分的なまたは完全な湾曲部分を含む請求項１０記載の軸流タービン（１６）。
【請求項１９】
前記環状シュラウド（５０）がシュラウドセグメント（７２）の環状配列によって形成され、前記各セグメント（７２）が複数の前記ベーン（６４）を含む請求項１０記載の軸流タービン（１６）。
【請求項２０】
前記シュラウドセグメント（７２）が前記タービン（１６）を収容するケーシング（４８）の内側領域に装着される請求項１９記載の軸流タービン（１６）。
【発明の詳細な説明】
【技術分野】
【０００１】
本発明は、ガスタービン用の軸流タービンに関し、特に、タービンの排気およびディフューザへの移行に関する。
【背景技術】
【０００２】
ガス流は、軸流タービンから出て排気ディフューザに入り、排気ディフューザは、ガスを減速して、ガスの運動エネルギーを圧力へと変換するとともに、ガスによりタービン出口に印加される静圧を、例えば、大気圧未満に低下させる。タービン出口またはディフューザ入口における静圧は、タービン出口における背圧としても知られる。
【０００３】
タービンの効率は、部分的に、タービン出口における背圧に依存する。高効率のタービンは、低効率のタービンが生み出すよりも多くの仕事を生み出す。背圧が低ければ低いほど、タービンの効率が高くなる。高効率の排気ディフューザは、低効率の排気ディフューザがもたらすよりも低い背圧をタービンの出口でもたらす。したがって、排気ディフューザの効率は、タービンの効率に影響を及ぼし、したがってタービンにより生み出される仕事の量に影響を及ぼす。
【０００４】
排気ディフューザの性能は、排気ディフューザを通じた流路の幾何学的形態だけによって影響されるものではない。性能は、翼幅方向の流れ変化、例えばディフューザの軸方向中心からディフューザの径方向外側の壁までに至る流れ変化によっても影響される。具体的には、ガスの全圧の翼幅方向の分布およびディフューザ入口におけるガスの流れ角（渦角）は、ディフューザ性能にかなりの影響を与える。全圧は、排ガスの静圧と、動圧、すなわち運動エネルギーとの和である。排気ディフューザは、排ガスの運動エネルギーを変換してガス圧を回収する。
【０００５】
タービン排ガスは逆圧力勾配に抗して排気ディフューザを流通し、その場合、静圧は、ディフューザ出口におけるよりもディフューザ入口における方が低い。また、排気ディフューザの壁（ケーシング壁またはハブ壁など）付近を流れるガスも壁と移動ガスとの間の摩擦に打ち勝たなければならない。ディフューザの壁付近のガス流には、逆圧力勾配および壁摩擦に打ち勝つのに十分な運動エネルギーが存在しなければならない。
【０００６】
ディフューザの壁付近の排ガスにおける全圧は、チップシュラウド閉鎖、チップ漏れ、シュラウドからの低運動量流漏れ、および、ディフューザ界面キャビティに起因する壁付近のかなりの流れ混合損失によって減少される場合がある。ケーシング壁付近の全圧が弱くなり過ぎれば、壁付近の流れの境界層は、層の分離を回避するのに十分な運動エネルギーを有さない。境界層は、壁摩擦によって影響される壁付近のガス層である。境界層において全圧が弱すぎると、境界層中のガス流は、壁から分離して、排気ディフューザにおいて効率の悪さをもたらす。境界層分離は、運動エネルギーを圧力へ変換する際のディフューザの効率を低下させ、したがって、タービン出口またはディフューザ入口で背圧を高める。
【０００７】
ディフューザの中間翼幅に対してディフューザケーシング壁付近の高い全圧を維持することは、ケーシング壁付近に存在する混合損失に起因して難しい。タービンケーシングの出口との間の界面キャビティからの低速漏れおよび、タービンの最終段を越えるチップ漏れは、タービンから出る高速排ガスおよび排ガスにおける渦とはかなり異なる流れ方向を有する。
【発明の概要】
【０００８】
ディフューザの入口における境界層分離を抑制するために、タービンの最終段を取り囲むタービンシュラウドに対してベーンが付加されてきた。ベーンは、バケットのチップとシュラウドとの間で漏れる燃焼ガスの方向を変えるように方向付けられる。漏れガスは、バケットの最終段の後縁から抜け出る燃焼ガスの流れ方向へ向けて変向される。漏れガスの向きをタービンの最終段から抜け出る他のガスの方向へと変向させることにより、これらのガスの混合は、漏れガスが変向されなかった場合に生じるよりも少ない剪断および低い全圧損失を有する。
【０００９】
軸流タービン用のタービンシュラウドが想起されて本明細書中で開示され、シュラウドは、それぞれがタービンケーシングの内面に装着されるように構成される弓形形状のシュラウドセグメントの環状配列であって、セグメントがタービン内のタービンバケットの最終列のチップと位置合わせされる弓形シール表面を有する、シュラウドセグメントの環状配列と、シュラウドセグメントのそれぞれの内面上で最終列を通じたガス流の方向における下流側に位置されるベーンであって、ベーンが内面からタービンの軸へ向けて内側に延在する、ベーンとを含む。
【００１０】
軸流タービンが想起されて本明細書中で開示され、軸流タービンは、タービンの最終段にあるタービンバケットの列と、タービンバケットの列の周囲に環を形成する環状シュラウドであって、シュラウドが、タービンバケット上のチップの径方向外側に環状シール表面を含むとともに、環状シール表面およびタービンバケットの列の下流側にベーンを含み、ベーンがシール表面の径方向内側に延在する、環状シュラウドとを含む。
【図面の簡単な説明】
【００１１】
【図１】ガスタービンの概略図である。
【図２】タービンバケットの後縁を示すガスタービンのタービンの最終段の一部の斜視図である。
【図３】タービンバケットのチップ、および、ガイドベーンによりバケットを取り囲む環状シュラウドの側面図である。
【図４】タービンシュラウドのセグメントの図であり、セグメントの内側を示す。
【図５】タービンシュラウドのセグメントの図であり、セグメントの斜視図を示す。
【図６】タービンシュラウドの他のセグメントを示し、セグメントの内側を示す。
【図７】タービンシュラウドの他のセグメントを示し、セグメントの斜視図を示す。
【図８】タービンシュラウドの他のセグメントを示し、セグメントの断面を示す。
【発明を実施するための形態】
【００１２】
図１は、圧縮機１２、燃焼器１４、および、タービン１６を含むガスタービン１０を示す。圧縮機は、大気中の空気を取り込んで、回転する圧縮機ブレードおよび固定されたステータブレードの環状の列に空気を通すことによって空気圧を徐々に増大させる。燃焼器内では、高圧燃焼ガスを生み出すために圧縮空気が燃料と混合されて燃焼される。燃焼ガスがタービンを通じて流れるにつれて、ガスは、環状の列を成して配置されるタービンバケット（ブレード）を回転させる。タービンは、シャフト１８によって圧縮機に接続される。燃焼ガスは、バケットを回転させることにより、シャフトを回転させて、圧縮機を駆動させるとともに、ガスタービンから有用な仕事を生み出す。
【００１３】
排気ディフューザ２０がタービンから燃焼ガスを受ける。燃焼ガスは排気ディフューザ内で減速する。これは、ガスの運動エネルギーが静圧の増大に変換するからである。燃焼ガスは、ディフューザから、排熱回収ボイラ（ＨＲＳＧ）および抽出システム２２と、音響サイレンサおよび排出量削減装置などの環境処理装置２４とを通じて流れる。排ガスの静圧は、排ガスがディフューザから環境制御装置を通じて大気中へと流れるように大気圧よりも大きくなければならない。
【００１４】
図２は、タービン１６のセクションを例示しており、タービンの最終段における幾つかのタービンバケット２６の下流側を示す。タービンバケットは、環状の配列を成して配置されて、タービンホイール２８に装着される。バケットおよびホイールは、燃焼ガスがバケットの湾曲した空気力学的表面３２上にわたって流れるにつれてガスタービンの軸３０（図１）の周りで回転する。
【００１５】
燃焼ガスは、バケット２６の最終段から渦を巻く動きを成して抜け出る。渦巻きは、タービンバケットの回転３４と、タービンバケットのそれぞれの空気力学的表面３２の曲率とによって与えられる。燃焼ガスは、特定の流れ方向３６に沿ってバケットの最終段から抜け出る。方向は、ガスの渦に起因して螺旋状となり得る。流れ方向は、径方向成分と、軸方向成分とを有する。この議論の目的のため、軸方向成分は、タービンの軸と平行なライン４０に対する角度３８によって表わされる。燃焼ガスの流れ方向は、バケットの長さに沿って、例えば軸に対して径方向に沿って変化する場合がある。バケットの空気力学的表面３２の径方向外側端部における流れ方向が本発明に最も関連する。
【００１６】
燃焼ガスのごく一部は、バケットのチップ４２を越えて流れる。ガスは、チップとこのチップを取り囲む固定シュラウドとの間のシールにもかかわらず、チップを越えて流れる。チップを越えて流れるガスは、一般にバケットの空気力学的表面３２から抜け出るガスの流れ角とはかなり異なる軸方向角度４６を有する流れ方向４４に沿ってバケットから抜け出る。チップを越えるガス流は、空気力学的表面から抜け出るガスの方向３６から４０度よりも大きい角度を持ち得る方向４４を有する場合がある。
【００１７】
流れ方向４４、３６の違いにより、ガス流は、バケットチップからのガスがブレードの湾曲した空気力学的表面からのガスと混合するにつれて、剪断して、より高い混合損失をもたらす。また、剪断および混合は、タービン出口と排気ディフューザへの入口との間の環状隙間の間の空気流によっても引き起こされ得る。タービンとディフューザとの間の環状隙間を通じた流れ、チップを越えて漏れる流れ、および、ブレードの空気力学的表面からの流れの間の剪断および混合は、タービンケーシングの表面付近で生じて、境界層で流れの分離を更に引き起こし得る渦角および全圧損失をもたらす損失を生み出す。
【００１８】
特にタービンと排気ディフューザとの間の移行部付近でのケーシング表面における流れの分離は、排気ディフューザ内での運動エネルギーから静的エネルギーへの変換効率を低下させ得るとともに、タービンから抜け出る排ガスに望ましくない更に高い背圧をもたらす。したがって、長きにわたり、排気ディフューザの効率を高めてタービンの出口で背圧を減らしたいという切実な要望がある。
【００１９】
図３は、タービンのケーシング４８およびタービンバケット２６の一部の側面図である。環状シュラウド５０がケーシング４８の内周にあるフックに装着される。環状シュラウドは、弓形形状セクションへとセグメント化されて、セクションがケーシングに装着されるにつれて円状に配置されてもよい。環状シュラウド５０は、タービンバケットの列のチップ４２の周囲で延在する。
【００２０】
環状シュラウド５０は、環状の配列を成して配置されてタービンケーシング４８に装着される弓形形状のシュラウドセグメント７２（図４および図５）から形成されてもよい。シュラウドセグメントはそれぞれ、それらの外側面にスロット５１を含み得る。スロットは、タービンケーシングから径方向内側に延在するフック５２を受ける。シュラウドセグメントは、それらが環状の配列を成して配置されるようにフックに装着される。或いは、フックがシュラウドセグメントにあってもよく（図４および図５参照）、また、スロットがタービンケーシングにあってもよい。
【００２１】
シュラウドは、バケットのチップを越える高温燃焼ガス流５４を実質的に防止するためにバケットのチップと共にシールを形成する。バケットのチップを越える流れは、高温燃焼ガスをバケットの空気力学的表面３２上にわたって流してバケットの列を回転させるために防止される。チップを越えて流れるガス５４は、バケットの列を回転させず、したがって、有用な仕事を果たさない。
【００２２】
シュラウドは、一般に、タービンの最終段において各バケットのチップレール４２と対向する摩耗性の環状表面５６を含む。摩耗性の環状表面は、バケットのチップにより擦られるときに擦り減るセラミックまたは他の材料であってもよい。チップレール４２および摩耗性の環状表面５６は、バケットのチップを越える高温ガス流５４を実質的に防止するシールを形成する。
【００２３】
シールにもかかわらず、一部のガス５８がシールを通じてバケットの列の下流側に流れる。これらのガス流５８は、タービンケーシングの付近にあって、タービンの排気流路の径方向最も外側の領域にある。ガス５８は、排気ディフューザ２０の内面６０に当て付いて流れるガスの状態を成す傾向がある。
【００２４】
タービンから抜け出る燃焼ガス６２の大部分は、タービンバケットの空気力学的表面３２上にわたっておよびバケット間で流れる。これらの燃焼ガス６２は、バケットのチップを越えて漏れてしまった燃焼ガス５８と混合する。
【００２５】
発明者等は、ガス流５８、６２の無秩序な混合がディフューザ性能に悪影響を及ぼす全圧および流れ角（渦角）をもたらすことを認識した。また、発明者等は、排気ディフューザの表面６０付近の混合ガスの最適でない流れ角および全圧の損失が表面に隣接するガス流の境界層の分離を引き起こし得ることも認識した。更に、発明者等は、流れ５８、６２間のケーシング付近の混合損失が２つの流れの相殺する流れ角に少なくとも部分的に起因することを認識した。
【００２６】
流れ５８、６２のより良いアライメントおよび混合の向上を促すために、ベーン６４がシュラウド５０に付加される。ベーンは、バケットのチップと摩耗性シール５６との間で漏れる流れ５８の方向を変える。流れ５８は、バケットの空気力学的表面３２から抜け出るガスの流れ角に近い軸に対する流れ角を有するように向きが変えられる。
【００２７】
ベーン６４は、タービンの最終段のバケットのチップレールの直ぐ下流側で環状の配列を成す。ベーン６４は、タービンの軸を中心とする環状の配列を形成するために、シュラウドの周囲にわたって例えば１度、２度、または、５度の弧度を隔てて対称的に配置されてもよい。
【００２８】
ベーンはそれぞれ、バケットの後縁６８と径方向で一直線に合わされる前縁６６を有してもよい。或いは、ベーンの前縁６６は、例えばバケットの幅（ｗ）の２パーセント（２％）〜１５パーセント（１５％）だけバケットの後縁の上流側で延在してもよく、この場合、幅は、バケットの径方向外端の弦長と同じである。前縁６６とベーンの下流側端部７０との間のベーンの幅は、バケットの幅と比べて相対的に短くてもよい。例えば、ベーンの幅は、最終段バケットにおけるバケットの弦長の１／１０〜２／３であってもよい。
【００２９】
径方向に沿うベーンの高さ（ｈ）は、ベーンがバケットのチップを越えて漏れるガス流中へと突出する、随意的にはガス流を完全に貫いて突出するのに十分である。ベーンの高さ（ｈ）は、摩耗性シール５６の径方向内側面とベーンの下縁の径方向最も内側の部分との間の距離である。高さ（ｈ）は、バケットの上端（チップ４２を含まない）と摩耗性シールの内面との間の最狭隙間６５の１／４〜２倍の範囲であってもよい。
【００３０】
ベーンは、バケットチップを越えて漏れるガスの方向を、バケットの空気力学的表面から抜け出るガスの流れ角と同じまたは同様の流れ角へと変える。ベーンにより形成される角度は、バケットのチップを越えて流れるガスの向きを、バケットの空気力学的表面から抜け出るガスの流れ角の１０度或いは１５、２０または３５度内である角度へと変えてもよい。ガス流の向きを変えると、バケットチップを越えて漏れるガスがタービンバケットの空気力学的表面からのガスと混合する際に生じる全圧損失が減少する。また、ケーシング壁付近のガスの互いに混合された後の流れ角は、バケットチップを越えて漏れるガスの流れであるよりも軸方向に近い。ガスの全圧および流れ角の向上は、排気ディフューザへの入口付近で境界層が分離するリスクを減らし、それにより、排気ディフューザの効率を高めて、タービンの排気時の背圧を減少させる。
【００３１】
ベーンは、タービンの最終段における環状シュラウドの延在部上にあってもよい。従来の環状シュラウドは、タービンバケットの基部の軸方向長さとほぼ同様の軸方向長さを有する。ベーンを受け入れるために、延在部は、シュラウドの軸方向端部に形成され、例えば単一品から一体に形成される。延在部は、シュラウド上の摩耗性表面の径方向位置とほぼ同じ径方向位置にある環状内壁を有する。
【００３２】
ベーンは、延在部の内面から径方向内側に延在する。ベーンは、ベーンを伴うシュラウドが一体部品であるようにシュラウドの残りの部分と一体に形成されてもよい。例えば、シュラウドは、セラミックまたは金属の組成体を成形することによって弓形形状断面に形成されてもよい。
【００３３】
図４および図５は、セグメントの内側を示す（図４）およびセグメントを斜視図で示す（図５）タービンシュラウドのセグメント７２の図である。シュラウドセグメントは周方向７４で弓形形状を有する。一連のシュラウドセグメント７２は、タービンバケットの列のチップの周りに環状ハウジングを形成するために、環状配列を成して配置されてタービンケーシングに装着される。シュラウドセグメント７２は、環状ハウジングを形成するように端部７６同士を接続して配置される。シュラウドセグメントの径方向外側の領域は、セグメントをタービン内に装着するためにタービンケーシングのスロットと係合するフック７３を含む。
【００３４】
各シュラウドセグメントは、摩耗性シール５６（図３）を受けて支持するシール支持面７７を含む。シュラウドセグメントの幾つかの実施形態において、シール支持面７７はそれ自体が摩耗性シールであってもよい。シュラウドセグメントは環状の配列を成して配置されるが、シール支持面７７は、タービンバケットのチップ付近でこれらのチップと位置合わせされる環状面を形成する。摩耗性シール５６は、シール支持面とバケットのチップとの間にある。シール支持面７７がタービンの軸と平行であってもよい。
【００３５】
シール表面５６の軸方向前方には、ノズル（図示せず）のための装着部７８がある。ノズル（ベーンとも称される）は、固定されており、バケット２６（図２）の列の直ぐ上流側に環状配列を形成する。ノズルは、タービンを通じて流れる高温燃焼ガスの経路中にある。ノズルは、燃焼ガスをバケット２６の最終列へと方向付ける。
【００３６】
シュラウドセグメント７２上のベーン６４は、燃焼ガス流の方向でシール表面５６の直ぐ下流側にある。ベーン６４は、シュラウドセグメントの残りの部分の軸方向下流側にある延在部８０に含まれてもよい。延在部８０は、ベーンと、摩耗性シール５６（図３）の内面と軸方向で一直線に合わされる表面８２を有する環状領域とを含んでもよい。或いは、表面８２は、径方向内側または外側に先細ってもよい。表面８２は、ベーンの後縁７０に軸方向端部８４を有する。表面端部８４およびベーンの後縁は、向い合うとともに、タービンの端部と排気ディフューザ（図３）の入口端２０との間の移行部に隣接する。
【００３７】
図４および図５に示されるベーン６４は、軸方向に直線状であり、タービンの軸と平行であるライン４０に対して平行である。ベーンは、チップと摩耗性シールとの間で漏れる燃焼ガス流の向きをライン４０に沿う軸方向へと変える。
【００３８】
ベーンとタービンの軸に対して平行なラインとの間の角度は、シュラウドセグメントの設計中に選択されてもよい。この角度は、バケットのチップと摩耗性シールとの間で漏れるガス流の向きをバケットの空気力学的表面から抜け出るガス流の方向へと変えるように選択されてもよい。例えば図４および図５に示されるベーン６４のように角度が０度であってもよい。また、角度は、軸に対して時計回り方向でまたは反時計回り方向で０〜５度、１０度、１５度、２０度またはそれ以上の範囲のいずれかであってもよい。
【００３９】
また、ベーンは、図４および図５では、径方向内側に延在するように示される。ベーンの径方向内側縁下面は、図４および図５に示されるように径方向ラインに沿って延在し、ガスを径方向に向かせないようになっている。バケットのチップを越えて漏れるガスの向きを変える要望があれば、ベーンは、ガスの向きを径方向内側に変えさせてこのガスとバケットの空気力学的表面から抜け出るガスとの急速な混合を促すべく径方向に角度付けられてもよい。
【００４０】
図６、７、８は、図４および図５に示されるシュラウドセグメント７２と殆ど類似するタービンシュラウドの他のセグメント８６を示す。シュラウドセグメント間の相違点は、ベーン８８が軸方向に沿って湾曲される点である。図６に最も良く示されるように、ベーン８８は、ベーンの上流側部分に湾曲セグメント９０を有するとともに、下流側部分に直線セグメント９２を有する。ベーンの湾曲は、バケットのチップを越えて漏れるガスの変向を促す。ベーンのセグメントと軸とにより形成される角度および湾曲の大きさおよび広がりは、設計選択の事柄であり、バケットの空気力学的表面から抜け出るガスの流れの方へとガスの向きを変えるように選択されてもよい。
【００４１】
最も実用的で好ましい実施形態であると現在見なされるものに関連して発明を説明してきたが、本発明は、開示された実施形態に限定されず、それどころか、添付の特許請求の範囲および思想の中に含まれる様々な変更および等価な構成を網羅するようになっていることが理解されるべきである。
【符号の説明】
【００４２】
１０  ガスタービン
１２  圧縮機１２
１４  燃焼器
１６  タービン
１８  シャフト
２０  ディフューザ
２２  排熱回収ボイラ（ＨＲＳＧ）
２４  環境処理装置
２６  タービンバケット
２８  タービンホイール
３０  タービン軸
３２  バケットの空気力学的表面
３４  タービン回転
３６  ブレードからの排ガス流方向
３８  流れ方向の角度
４０  タービン軸と平行なライン
４２  バケットのチップ
４４  チップを越えて流れる流れ方向
４６  チップ流の流れ角
４８  タービンケーシング
５０  シュラウド
５１  シュラウドセグメントのスロット
５２  タービンケーシングのフック
５４  チップを越える流れ
５６  摩耗性表面
５８  バケットの下流側でシールを通じて流れるガス
６０  排気ディフューザの内面
６２  バケットの空気力学的表面からの流れ
６４  ベーン
６５  バケットの端部とシールとの間の隙間
６６  ベーンの前縁
６８  バケットの後縁
７０  ベーンの後縁
７２  図４および図５のシュラウドセグメント
７３  フック
７４  周方向
７６  セグメントの端部
７７  シール支持面
７８  ベーンの装着部／接続部
８０  セグメントの延在部
８２  セグメントの内面
８４  延在部の端部
８６  図６−図８のシュラウドセグメント
８８  ベーン
９０  ベーンの湾曲部分
９２  ベーンの直線部分
【図１】
2017141815.tif 000003
【図２】
2017141815.tif 000004
【図３】
2017141815.tif 000005
【図４】
2017141815.tif 000006
【図５】
2017141815.tif 000007
【図６】
2017141815.tif 000008
【図７】
2017141815.tif 000009
【図８】
2017141815.tif 000010
【外国語明細書】
2017141815000001.pdf